(57)【要約】多層記録担体に情報を記録するための方法は、下位の記録層（４１）についての記録ビームの書き込みパワーを設定するためのパワー制御手順を含む。最初に上位の記録層（４０）における上位エリア、即ち前記記録担体のレーザ入射側に近い方の記録層が記録される。次に、下位の記録層（４１）上のパワー制御ゾーンの径方向の位置範囲に対応する上位の記録層の径方向の位置範囲を前記上位のエリアが略カバーするように、下位の記録層にパワー制御ゾーンが配置される。最後に、前記下位の記録層についてのビームの書き込みパワーを設定するための最適パワー制御（ＯＰＣ）手順が、前記パワー制御ゾーンにテストパターンのマークを書き込むことにより実行される。
2006521651.tif 000002
【特許請求の範囲】
【請求項１】
書き込み可能なタイプの記録担体に、前記記録担体の入射面を通って入射する放射のビームによって記録層上のトラックにマークを書き込むことにより情報を記録する方法であって、前記記録担体は、
第１の記録層及び第２の記録層を有し、前記第１の記録層は前記第２の記録層よりも前記入射面に近い位置に存在し、前記方法は、
前記第２の記録層についての前記ビームの書き込みパワーを設定するためのパワー制御ステップを有し、前記パワー制御ステップは、前記第２の記録層に配置されたパワー制御ゾーンにテストパターンのマークを書き込むステップを有し、前記方法は更に、
前記パワー制御ステップに先行する上位層記録ステップを有し、前記上位層記録ステップは、前記第１の記録層の上位エリアにマークを書き込むステップを有し、前記上位エリアは、前記第２の記録層上の前記パワー制御ゾーンの径方向の位置範囲に対応する前記第１の記録層の径方向の位置範囲を略カバーする方法。
【請求項２】
前記記録担体において、前記第１の記録層上のトラックが第１の方向に螺旋状に延在し、前記第２の記録層上のトラックが前記第１の方向とは逆の第２の方向に螺旋状に延在し、これらトラックが中間ゾーンにより論理的に分離された２つの部分の記録エリアを構成し、前記中間ゾーンは、前記第１の記録層の末尾に配置された第１の中間部分と、前記第２の記録層の先頭に配置された第２の中間部分とによって物理的に構成され、前記記録エリアは、前記第１の記録層の先頭に配置されたリードインゾーンによって先行され、且つ前記第２の記録層の末尾に配置されたリードアウトゾーンによって後続され、
前記上位層記録ステップは、内側の径位置から外側の径位置へと外向きに前記上位エリアにマークを書き込むステップを有し、
前記パワー制御ステップは、外側の径位置から内側の径位置へと内向きに前記パワー制御ゾーンにテストパターンのマークを書き込むステップを有する、請求項１に記載の方法。
【請求項３】
前記上位層記録ステップは、前記リードインゾーンを構成するマークを書き込むステップを有し、及び／又は前記上位層記録ステップは、前記第１の中間部分を構成するマークを書き込むステップを有する、請求項２に記載の方法。
【請求項４】
前記上位層記録ステップは、とりわけ多数の記録セッションの間に前記パワー制御ステップを多数回実行することを可能とする前記第２の記録層における大きな前記パワー制御ゾーンの径方向の位置範囲に対応する、前記第１の記録層における径方向の位置範囲をカバーするのに十分大きな上位エリアにマークを書き込むために１度実行される、請求項１に記載の方法。
【請求項５】
前記記録担体における各前記記録層はプリトラックパターンを有し、前記方法は、前記第２の記録層におけるパワー制御ゾーンの位置を示す前記プリトラックパターンにエンコードされたパワー制御情報を取得するステップを有する、請求項１に記載の方法。
【請求項６】
前記記録担体は光ディスクであり、前記上位層記録ステップは、略半径２２．６ｍｍと２４．０ｍｍとの間の前記第１の記録層における前記上位エリアの径方向の位置にマークを書き込むステップを有し、前記第２の記録層における前記パワー制御ゾーンは、対応する径位置、とりわけ半径２２．７ｍｍと２３．９ｍｍとの間に配置される、請求項１に記載の方法。
【請求項７】
書き込み可能なタイプの記録担体に、前記記録担体の入射面を通って入射する放射のビームによって記録層上のトラックにマークを書き込むことにより情報を記録する装置であって、前記記録担体は、
第１の記録層及び第２の記録層を有し、前記第１の記録層は前記第２の記録層よりも前記入射面に近い位置に存在し、前記装置は、
前記ビームを供給するためのヘッドを有し、前記装置は更に、
前記第２の記録層におけるパワー制御ゾーンの位置の決定と、
前記パワー制御ゾーンへのテストパターンのマークの書き込みと、
によって、前記第２の記録層についての前記ビームの書き込みパワーを設定するためのパワー制御ユニットを有し、
前記テストパターンのマークの書き込みは、前記第１の記録層の上位エリアにおけるマークの書き込みに先行され、前記上位エリアは、前記パワー制御ゾーンの径方向の位置に対応する径方向の位置に略配置される装置。
【請求項８】
前記記録担体における少なくとも１つの記録層はプリトラックパターンを有し、前記装置は、前記プリトラックパターンからパワー制御情報を取得するための復調ユニットを有し、前記パワー制御情報は、前記パワー制御ゾーンの位置を示す、請求項７に記載の装置。
【請求項９】
前記パワー制御ユニットは、前記第１の記録層についての前記ビームの書き込みパワーを設定するための上位パワー制御ステップを実行することにより、前記上位エリアにマークを書き込むように構成され、前記上位パワー制御ステップは、前記第１の記録層に配置されたパワー制御ゾーンにテストパターンのマークを書き込むステップを有する、請求項７に記載の装置。
【請求項１０】
記録担体の入射面を通って入射する放射のビームによって記録層上のトラックにマークを書き込むことにより情報を記録するための書き込み可能なタイプの記録担体であって、前記記録担体は、
第１の記録層及び第２の記録層を有し、前記第１の記録層は前記第２の記録層よりも前記入射面に近い位置に存在し、前記記録担体は更に、
前記第２の記録層についての前記放射のビームの書き込みパワーを設定するためのパワー制御手順を実行するための、前記第２の記録層におけるパワー制御ゾーンの位置を示すパワー制御情報を有し、前記パワー制御手順は、
前記第１の記録層の上位エリアにマークを書き込むステップを有し、前記上位エリアは、前記第２の記録層上の前記パワー制御ゾーンの径方向の位置範囲に対応する前記第１の記録層の径方向の位置範囲を略カバーし、前記パワー制御手順は更に、
前記パワー制御ゾーンにテストパターンのマークを書き込むステップを有する記録担体。
【請求項１１】
前記第１の記録層上のトラックが第１の方向に螺旋状に延在し、前記第２の記録層上のトラックが前記第１の方向とは逆の第２の方向に螺旋状に延在し、これらトラックが中間ゾーンにより論理的に分離された２つの部分の記録エリアを構成し、前記中間ゾーンは、前記第１の記録層の末尾に配置された第１の中間部分と、前記第２の記録層の先頭に配置された第２の中間部分とによって物理的に構成され、前記記録エリアは、前記第１の記録層の先頭に配置されたリードインゾーンによって先行され、且つ前記第２の記録層の末尾に配置されたリードアウトゾーンによって後続される、請求項１０に記載の記録担体。
【請求項１２】
少なくとも１つの記録層はプリトラックパターンを有し、前記パワー制御情報が前記プリトラックパターンにエンコードされた、請求項１０に記載の記録担体。
【請求項１３】
前記プリトラックパターンはプリグルーブを有し、前記プリグルーブは、前記トラックの長さ方向に対する横方向における前記プリグルーブの変位によって構成されるウォブルを呈し、前記ウォブルは、前記パワー制御情報を表すウォブル変調を呈する、請求項１２に記載の記録担体。
【発明の詳細な説明】
【技術分野】
【０００１】
本発明は、トラックにマークを書き込むことにより情報を記録するための書き込み可能なタイプの記録担体に関する。
【０００２】
本発明は更に、前記記録担体を走査する装置、及び前記記録担体により情報を提供する方法に関する。
【背景技術】
【０００３】
多層光記録媒体は、米国特許出願公開US2002/0150005より知られている。前記記録担体は、トラックの位置を示すための通常プリグルーブと呼ばれるガイドグルーブを有し、該トラックにおいて、光読み取り可能なマークを記録することにより所定の方法で情報が表現される。前記プリグルーブは、横方向における前記トラックの周期的な変位（以下、ウォブルと呼ぶ）によって曲折している。前記ウォブルは、アドレスのような付加情報に従って周期を変化させられる。走査装置は、前記トラックを走査するための放射のビームを生成するためのヘッドを備える。前記マークは、前記走査の間、前記走査される表面の反射率の変化によって検出される。反射される放射の強度の変化は、主検出システムによって検出される。更に走査装置は、前記トラックに対する前記ヘッドの空間的な逸脱を検出するため、前記プリグルーブに基づきトラッキングサーボ信号を生成するための副検出器を持つ。前記トラッキングサーボ信号は、前記トラック上に前記ヘッドを位置決めするためにアクチュエータを制御するため利用される。前記ウォブルの周期の変化は、例えばアドレス情報のような補助情報を取得するために検出される。各層についてのフォーカスを最適化するために、幾つかの層にテストパターンが予め記録され得る。しかしながら記録パワーは、各記録層について容易に最適化されることができない。
【発明の開示】
【発明が解決しようとする課題】
【０００４】
それ故本発明の目的は、信頼性高い最適パワー制御を可能とする、記録担体に情報を記録する方法、記録装置及び記録担体を提供することにある。
【課題を解決するための手段】
【０００５】
本発明の第１の態様によれば、本目的は、書き込み可能なタイプの記録担体に、前記記録担体の入射面を通って入射する放射のビームによって記録層上のトラックにマークを書き込むことにより情報を記録する方法であって、前記記録担体は、第１の記録層及び第２の記録層を有し、前記第１の記録層は前記第２の記録層よりも前記入射面に近い位置に存在し、前記方法は、前記第２の記録層についての前記ビームの書き込みパワーを設定するためのパワー制御ステップを有し、前記パワー制御ステップは、前記第２の記録層に配置されたパワー制御ゾーンにテストパターンのマークを書き込むステップを有し、前記方法は更に、前記パワー制御ステップに先行する上位層記録ステップを有し、前記上位層記録ステップは、前記第１の記録層の上位エリアにマークを書き込むステップを有し、前記上位エリアは、前記第２の記録層上の前記パワー制御ゾーンの径方向の位置範囲に対応する前記第１の記録層の径方向の位置範囲を略カバーする方法により達成される。
【０００６】
本発明の第２の態様によれば、本目的は請求項７に記載された装置により達成される。
【０００７】
本発明の第３の態様によれば、本目的は請求項１０に記載された記録担体により達成される。
【０００８】
本方法の効果は、第２の記録層についてのパワー制御ゾーンが、定義された透過特性を第１の記録層が持つような径位置において配置されること、即ち前記パワー制御ゾーンの上の径方向のエリアにおいてデータが書き込まれることである。「上位エリアを記録するための上位層記録ステップ」と呼ばれるステップは、実際の記録担体においては上又は下であり得る、レーザの入射面に近い方の層の記録に関することに留意されたい。前記第２の記録層上のパワー制御ゾーンの位置は、前記記録担体から取得されることができる。このことは、最適な書き込みパワーが、前記第２の記録層について信頼性高く決定されるという利点を持つ。
【０００９】
本発明はまた、以下の認識に基づく。本発明者は、レーザに最も近い第１の記録層でない記録層にマークを書き込むための最適なパワーは、隣接する層の透過率によって影響を受けることを認識した。また、データの構成のため、記録層の書き込みの順序はランダムではなく、通常レーザに近い層からレーザから遠い層へと進行する。それ故、遠い層用の書き込みパワーは、より近い記録された層を介して最もよく最適化される。このことは、遠くの層におけるパワーの最適化を実行する前に、少なくとも該遠くの層のパワー制御ゾーンに対応する径方向のエリアにおいて、より近い層に先に記録することにより達成される。
【００１０】
本方法の実施例においては、前記記録担体において、前記第１の記録層上のトラックが第１の方向に螺旋状に延在し、前記第２の記録層上のトラックが前記第１の方向とは逆の第２の方向に螺旋状に延在し、これらトラックが中間ゾーンにより論理的に分離された２つの部分の記録エリアを構成し、前記中間ゾーンは、前記第１の記録層の末尾に配置された第１の中間部分と、前記第２の記録層の先頭に配置された第２の中間部分とによって物理的に構成され、前記記録エリアは、前記第１の記録層の先頭に配置されたリードインゾーンによって先行され、且つ前記第２の記録層の末尾に配置されたリードアウトゾーンによって後続され、前記上位層記録ステップは、内側の径位置から外側の径位置へと外向きに前記上位エリアにマークを書き込むステップを有し、前記パワー制御ステップは、外側の径位置から内側の径位置へと内向きに前記パワー制御ゾーンにテストパターンのマークを書き込むステップを有する。前記記録担体は、逆行トラックパス（opposite track path、ＯＴＰ）タイプと呼ばれる。このことは、ＯＴＰタイプの記録担体において、より近くの層における前記径方向のエリアが、より遠い層におけるパワー制御ゾーンに対応するという利点を持つ。
【００１１】
本発明の実施例においては、前記上位層記録ステップは、前記リードインゾーンを構成するマークを書き込むステップを有する。このことは、リードインゾーンが、標準化された記録フォーマットに準拠するために第１の記録層に記録される必要があるという利点を持つ。更なる実施例においては、前記上位層記録ステップは、前記第１の中間部分を構成するマークを書き込むステップを有する。このことは、パワー制御ゾーンが、前記記録担体の外周部の近くにおいて利用可能であるという利点を持つ。最適な書き込みパワー値は、内側から外側の径方向の記録位置へと僅かに変化し得ることに留意されたい。
【００１２】
本発明による方法及び装置の更なる好適な実施例は、更なる請求項において与えられる。
【００１３】
本発明のこれらの及び他の態様は、以下の説明において例として記載される実施例を参照しながら、及び添付する図を参照しながら、更に説明され明らかとなるであろう。図において、既に説明された要素の対応する要素は同一の参照番号を持つ。
【発明を実施するための最良の形態】
【００１４】
図１ａは、トラック９と中央穴１０とを持つディスク型の記録担体１１を示す。トラック９は、記録層上に略平行なトラックを構成する巻の螺旋パターンに従って配置される。前記記録担体は、記録可能なタイプの情報層を持つ光ディスクであっても良い。記録可能なディスクの例は、ＣＤ−Ｒ及びＣＤ−ＲＷ並びにＤＶＤ＋ＲＷである。記録可能なタイプの記録担体上のトラック９は、例えばプリグルーブのような、ブランクの記録担体の製造の間に備えられるプリトラック（pre-track）構造によって示される。記録された情報は前記情報層において、前記トラックに沿って記録された光検出可能なマークによって前記情報層上に表される。前記マークは、第１の物理パラメータの変化によって構成され、これにより周囲と異なる光学特性を持つ。前記マークは、例えば反射率の変化のような、反射ビームの変化によって検出可能である。
【００１５】
図１ｂは、記録可能なタイプの記録担体１１の線ｂ−ｂに沿ってとられた断面図である。ここで、透明な基板１５が、記録層１６及び保護層１７を備える。プリトラック構造が例えばプリグルーブ１４によって構成され、走査の間読み取り／書き込みヘッドがトラック９を追従することを可能とする。プリグルーブ１４は、窪み又は隆起として実装されても良いし、前記プリグルーブの物質とは異なる光学特性を持つ物質から成っても良い。前記プリグルーブは、走査の間読み取り／書き込みヘッドがトラック９に追従することを可能とする。プリトラック構造はまた、周期的にサーボ信号を発生させる規則的に延在するサブトラック又はプリピットによって形成されても良い。前記記録担体は、例えばビデオ又はオーディオ情報のようなリアルタイム情報を担持するように意図されても良いし、又はコンピュータデータのような他の情報を担持するように意図されても良い。
【００１６】
図１ｃは、前記トラックのウォブルの例を示す。本図は、ウォブルとも呼ばれる、前記トラックの横方向の位置の周期的な変化を示す。前記変化は、例えば走査装置のヘッドにおける中央スポットで部分検出器によって生成されるプッシュプルチャネルにおいて、付加的な信号が副検出器に生じるようにする。前記ウォブルは例えば周波数変調され、位置情報が該変調にエンコードされる。かような方法でエンコードされたディスク情報を有する書き込み可能なＣＤシステムにおける、図１ｃに示されたような先行技術のウォブルの包括的な記載は、米国特許US4,901,300（PHN12398）及び米国特許US5,187,699（PHQ88002）において見出される。
【００１７】
走査による読み出しの間、トラッキングサーボ信号を生成するための検出器セグメント又は付加的な検出器により検出可能な放射ビームの断面における強度の変化のような、放射の第２のタイプの変化を介して、ウォブル変調が検出可能である。トラッキングサーボシステムのためのウォブルの検出は、上述のＣＤ−Ｒ及びＣＤ−ＲＷシステムから良く知られている。ウォブル変調は、例えば図６において示されるＤＶＤ＋ＲＷシステムにおけるように、物理アドレスをエンコードするために利用され、ウォブル復調は図７に示される。
【００１８】
ユーザデータは、例えばＣＤ又はＤＶＤのチャネルコーディング方式に従って、チャネルビットと呼ばれる単位で、離散的な長さを持つマークによって前記記録担体に記録される。前記マークは、整数個のチャネルビット長Ｔに対応する長さを持つ。利用される最も短いマークは、所定の最小の数ｄ個のチャネルビット長Ｔの長さを持ち、これにより通常凡そ前記最も短いマークの長さと等しい有効径を持つ前記トラック上の走査スポットによって検出可能である。
【００１９】
本発明によれば、前記記録担体は、図１ａにおけるエリア１２によって模式的に示されるような、下位の記録層におけるパワー制御ゾーンの位置を示すパワー制御情報をエンコードするためのプリトラック（pre-track）構造の変調を持つ、多層記録担体である。図６は、ＡＤＩＰに制御情報をエンコードするための実施例を示す。代替として、パワー制御情報は、ＤＶＤ−ＲＷにおけるようにプリピットにエンコードされ、又は読み取り専用ディスクにおけるようにピット及びランドを利用した予めエンボスされたデータエリアにエンコードされる。
【００２０】
「上位」（及び「下位」）層は、レーザの入射面に近い方の層（及び該入射面から遠い層）を示し、実際にはレーザの位置に依存して前記記録担体の上部又は底部になり得ることに留意されたい。前記パワー制御ゾーンは、前記第２の記録層についての放射ビームの書き込みパワーを設定するための最適パワー制御手順（ＯＰＣ）を実行するためのものである。前記パワー制御手順は最初に、前記第１の記録層の上位エリアにマークを書き込むことから開始する。前記上位エリアは、下位の記録層におけるパワー制御ゾーンの径位置の範囲に対応する、上位の記録層における径位置の範囲をカバーする。前記上位のエリアの書き込みが完了した後、最適な書き込みパワーを決定するために、例えば異なるパワー設定を利用して、テストパターンのマークが前記パワー制御ゾーンに書き込まれる。一般に、かようなパワー設定手順は、ＣＤ−Ｒ又はＤＶＤ＋ＲＷのような、単層光ディスクレコーダから良く知られている。実用的な環境においては、前記パワー制御ゾーンは、前記トラックの多数の巻であること、即ち開始径位置から終了径位置までの環状のエリアであることに留意されたい。
【００２１】
図２は、記録担体の異なる層について最適なパワー制御を実行する記録装置を示す。前記装置は記録担体１１上のトラックを走査する手段を備える。該手段は、記録担体１１を回転させるための駆動ユニット２１、ヘッド２２、前記トラックにヘッド２２を位置決めするためのサーボユニット２５、及び制御ユニット２０を含む。ヘッド２２は、放射ビーム２４を生成するための、既知のタイプの光学系を有する。放射ビーム２４は、光学素子を通して誘導され、前記記録担体の情報層のトラック上の放射スポット２３にフォーカスされる。放射ビーム２４は、例えばレーザダイオードのような放射源によって生成される。前記ヘッドは更に、（図示されていないが）前記ビームの光軸に沿って放射ビーム２４のフォーカスを移動させるためのフォーカスアクチュエータと、前記トラックの中心へのスポット２３の径方向の詳細な位置決めのためのトラッキングアクチュエータとを有する。前記トラッキングアクチュエータは、光学素子を径方向に移動させるためのコイルを有しても良く、又は代替として反射素子の角度を変化させるように構成されても良い。前記フォーカスアクチュエータ及びトラッキングアクチュエータは、サーボユニット２５からのアクチュエータ信号によって駆動される。読み取りのため、前記情報層により反射された放射が、例えば４象限ダイオードのような、ヘッド２２中の通常のタイプの検出器によって検出される。これにより、主走査信号３３とトラッキング及びフォーカスのためのエラー信号３５とを含む種々の走査信号を生成するためのフロントエンドユニット３１に結合される検出器信号を生成する。エラー信号３５は、前記トラッキングアクチュエータ及びフォーカスアクチュエータを制御するために、サーボユニット２５に結合される。エラー信号３５はまた、ウォブル変調又はプリピットのようなプリトラック変調から物理アドレス及び他の制御情報を取得するために、プリトラック復調ユニット３２に結合される。ウォブル変調検出の詳細な実施例は、図６に示される。主走査信号３３は、情報を取得するため、復調器、デフォーマッタ及び出力ユニットを含む、通常のタイプの読み取り処理ユニット３０によって処理される。
【００２２】
前記装置は、例えばＣＤ−Ｒ若しくはＣＤ−ＲＷ又はＤＶＤ＋ＲＷ若しくはＢＤのような、書き込み可能な又は再書き込み可能なタイプの記録担体に情報を記録するための記録手段を備える。前記記録手段は、書き込みビームの放射を生成するためヘッド２２及びフロントエンドユニット３１と協働し、ヘッド２２を駆動するために書き込み信号を生成するため、入力情報を処理する書き込み処理手段を有する。前記書き込み処理手段は、入力ユニット２７、フォーマッタ２８及び変調器２９を有する。情報を書き込みため、前記ビームの放射は、記録層に光検出可能なマークを生成するように制御される。前記マークは光読み取り可能ないずれの形態であっても良く、例えば色素、合金又は相変化物質のような物質において記録される場合に得られる、周囲とは異なる反射係数を持つエリアの形態であっても良く、又は光磁気物質において記録される場合に得られる、周囲と異なる偏光の方向を持つエリアの形態であっても良い。
【００２３】
光ディスクへの記録のための情報の書き込み及び読み取り及びフォーマット化、エラー訂正、並びにチャネル符号化規則は、例えばＣＤ又はＤＶＤシステムから、本分野においては良く知られている。実施例においては、入力ユニット２７は、アナログオーディオ及び／又はビデオ又はディジタルの圧縮されていないオーディオ／ビデオのような入力信号のための圧縮手段を有する。適切な圧縮手段はビデオについてＭＰＥＧ規格において記載されており、ＭＰＥＧ−１がＩＳＯ／ＩＥＣ１１１７２において定義され、ＭＰＥＧ−２がＩＳＯ／ＩＥＣ１３８１８において定義されている。前記入力信号は代替として、かような規格に従って既にエンコードされていても良い。
【００２４】
制御ユニット２０は、情報の記録及び取得を制御し、ユーザから又はホストコンピュータからコマンドを受信するように構成されても良い。制御ユニット２０は、例えばシステムバスのような制御線２６を介して、前記装置中の他のユニットに接続される。制御ユニット２０は、以下に説明するような処理及び機能を実行するための、例えばマイクロプロセッサのような制御回路、プログラムメモリ及びインタフェースを有する。制御ユニット２０は、論理回路における状態機械として実装されても良い。本発明によれば、前記制御ユニットは、以下に説明するように、２つの部分へのリードアウトの記録のためのリードアウトユニット３６を持つ。実施例においては、前記リードアウトユニットは、ウォブル復調ユニット３２を介して、前記プリグルーブからの前記リードアウト制御情報の取得を実行する。
【００２５】
図３は、多層光ディスクを示す。Ｌ０は第１の記録層４０であり、Ｌ１は第２の記録層４１である。第１の透過層４３は前記第１の記録層をカバーし、スペーサ層４２が記録層４０と記録層４１とを離隔し、基板４４が第２の記録層４１の下に示されている。第１の記録層４０は、第２の記録層４１よりも、前記記録担体の入射面４７に近い位置に配置される。Ｌ０層にフォーカスされた第１の状態４５のレーザビームが示され、またＬ１層にフォーカスされた第２の状態４６のレーザビームが示される。実施例においては、少なくとも１つの記録層が、例えば図６に示されるようなＡＤＩＰのプリトラック変調のような、前記パワー制御ゾーンの位置を示すパワー制御情報をエンコードするプリトラック変調を持つ。
【００２６】
多層ディスクは、ＤＶＤ−ＲＯＭ又はＤＶＤ−Ｖｉｄｅｏのような読み取り専用の予め記録されたディスクとして既に利用可能である。２層ＤＶＤ＋Ｒディスクは最近提案され、該ディスクは好ましくは２層ＤＶＤ−ＲＯＭ規格に準拠するべきである。両方の層の反射レベルは１８％以上である。Ｌ０層は、約５０乃至７０％の透過率を持つ。スペーサ層は、これらの層を３０μｍと６０μｍとの間の典型的な厚さで分離する。Ｌ１層は高い反射率を持ち、非常に敏感である必要がある。再書き込み可能な２層ディスクも提案されている。Ｌ０層は約４０乃至６０％の透過率を持つ。両方の層の実効反射率は典型的には７％であるが、より低い及びより高い値が可能である（３％乃至１８％）。３層以上の記録層を持つ書き込み可能及び再書き込み可能な光記憶媒体も検討されている。
【００２７】
必要とされるＤＶＤ−ＲＯＭ規格のような既存の読み取り専用の標準化された記録担体との互換性のため、ＤＶＤタイプの２層記録可能（又は再書き込み可能）ディスクについては、ディスクのレイアウトについて２つの選択肢がある。これら２つの選択肢は、「平行トラックパス（parallel track path、ＰＴＰ）」及び「逆行トラックパス（opposite track path、ＯＰＴ）」と呼ばれ、両方の層における螺旋の方向を示す。ＰＴＰディスクにおいては、層ごとに１つの情報ゾーン（全体で２つ）があり、ＯＴＰディスクにおいては、２つの層に渡って延在する１つの情報ゾーンがある。
【００２８】
図４は、逆行トラックパス記録担体を模式的に示す。横方向の矢印５１は径位置（外側に向けて増大）を示し、縦方向の矢印５２は物理アドレス、即ちセクタ番号を示す。線４９は、外側に向かって増大するＬ０層４０上のアドレスを示し、線５０は、内側に向かって増大するＬ１層４１上のアドレスを示す。前記記録ゾーンは、Ｌ０上に第１のデータゾーン５４を持ち、Ｌ１上に第２の部分５７を持ち、中間ゾーンによって中断される。前記中間ゾーンは、記録Ｌ０層４０の末尾における第１の中間ゾーン５５と、Ｌ１記録層４１の（トラック方向における）先頭における第２の中間ゾーン５６とによって構成される。データゾーン５４及び５７中の矢印は、螺旋方向を示す。前記記録ゾーンは、Ｌ０記録層の先頭においてリードインゾーン５３によって先行され、Ｌ１記録層の末尾においてリードアウトゾーン５８によって終わる。２層よりも多い層を持つ多層ディスクは、第２の記録層の末尾に第３の中間エリアを持ち、第３の記録層の先頭に第４の中間エリアを持つ等し得ることに留意されたい。リードアウトゾーンは最後の記録層の終わりに位置する。本発明によれば、各層についての前記パワー制御ゾーンは、上位層の上位のエリアの下に配置される。下位層についてのパワー制御テストパターンが前記パワー制御ゾーンに書き込まれる前に、前記上位のエリアは先にデータを書き込まれる。以下、２層ディスクの「下位層」が本発明を説明するために利用され、２層より多い層を持つディスクの場合における下位層を含むものとみなされる。
【００２９】
２層（多層）ディスクにおける問題は、ＯＰＣの結果が、他の層におけるデータの存在又は不在に依存することである。ＤＶＤ＋Ｒ（Ｗ）−ＤＬについては、記録されたディスクが、既存のＲＯＭ規格に（可能な限り）準拠したものであるべきであるという特別な要件がある。前記記録担体において、通常ディスクの内周又は外周の近くにおいて、Ｌ０記録層における規定された制御データに対応する径方向のエリア（例えばＤＶＤにおけるリードインゾーン及び／又はＰＴＰについてはリードアウトゾーン又はＯＴＰについては中間ゾーン）において、Ｌ１層にパワー制御ゾーンが配置される。それ故下位の層におけるパワー制御ゾーンは、規定の制御ゾーンを用いて記録されるべき第１の（Ｌ０）記録層における上位のゾーンに対応する径方向の位置に配置される。
【００３０】
図５ａは、２層ＯＴＰディスクの層Ｌ１に対するＯＰＣのためのパワー制御ゾーンを示す。Ｌ０記録層４０は、リードインゾーン５３によって後続されるＩＤＡエリア６８で始まる。Ｌ０におけるＩＤＡは、内側のドライブエリア（inner-drive area）を意味し、該エリアの一部が、Ｌ０に対するＯＰＣのために利用される。記録可能な２層ディスクの記録層における矢印は、螺旋トラックの方向を示し、とりわけＤＶＤについての逆行トラックパス（ＯＴＰ）を示す。矢印６７は、入射面４７へのレーザビームの方向を示す。記録層Ｌ１において、ＯＰＣ（Optimum Power Control、最適パワー制御）のためのパワー制御ゾーン６０が示されている。ＯＰＣゾーンの径位置は、リードインゾーン５３によってカバーされる径方向のエリア内である。
【００３１】
図５ｂは、２層ＰＴＰディスクの層Ｌ１に対するＯＰＣのためのパワー制御ゾーンを示す。Ｌ０記録層４０及びＬ１記録層４１は、リードインゾーン５３によって後続されるＩＤＡエリア６８で始まる。Ｌ０記録層４０は、リードアウトゾーン５８で終わる。記録可能な２層ディスクの記録層における矢印は、螺旋トラックの方向を示し、とりわけＤＶＤについての平行トラックパス（ＰＴＰ）を示す。矢印６７は、入射面４７へのレーザビームの方向を示す。記録層Ｌ１において、ＯＰＣ（Optimum Power Control、最適パワー制御）のためのパワー制御ゾーン６０が示されている。ＯＰＣゾーンの径位置は、リードアウトゾーン５８によってカバーされる径方向のエリア内である。
【００３２】
逆行トラックパス（ＯＴＰ）モードにおける２層ディスクについてのＤＶＤ−ＲＯＭ規格においては、２つの層に渡って延在する１つの情報ゾーンが定義されている。リードインゾーンはＬ０上に配置され、半径２２．６ｍｍから半径２４．０ｍｍまでに亘る。平行トラックパス（ＰＴＰ）の場合、別個の層に配置された２つの情報ゾーンがあり、従って各層がそれぞれのリードインゾーン（ＯＴＰのＬ０と同じ半径）を持つ。両方の場合において、前記リードインは制御情報を含み、ディスクがＤＶＤプレイヤによって読み取られるときに常に存在するべきである。Ｌ０のリードインゾーンは常に定義される必要があるため、ブランクディスクが挿入されたときに、Ｌ０における最初のＯＰＣ手順の後に即座に記録されることができる。ＯＴＰディスクの場合、Ｌ０のリードインの下のＬ１におけるエリアは、ユーザ情報を含む必要がない（ブランクか又はリードアウト）。それ故、該エリアはＬ１におけるＯＰＣのために利用される。スペーサの厚さ及び径方向の心振れの効果を考慮に入れると、このことは、Ｌ１上のＯＰＣのためのパワー制御ゾーンが、Ｌ１上の半径２２．７ｍｍから２３．９ｍｍまでに配置されることができることを意味する。
【００３３】
図６は、ウォブル変調におけるＡＤＩＰ情報を示す。前記ウォブル変調は、ＤＶＤ＋ＲＷシステムにおいて、アドレス・イン・プリグループ（Address In Pregroove、ＡＤＩＰ）と呼ばれる付加情報をエンコードする。各ＡＤＩＰビット６５は、ＡＤＩＰワードシンクフィールド（３ウォブル周期）によって後続されるＡＤＩＰビットシンク（３２個のチャネルビットに対応する１ウォブル周期６４）と、最後に８５個の単調（即ち変調されていない）ウォブル周期によって後続される４個のウォブル周期のＡＤＩＰデータビットフィールドとによって構成される。本図は、ＡＤＩＰワードシンクとしてエンコードされる第１のウォブル６１を示す。第１のウォブル６１において、ワードシンクフィールドは反転されたウォブルを持ち、データビットフィールドは変調されていないウォブルを持つ。第２のウォブル６２は、データビット値０をエンコードし、第３のウォブル６３は、値１のデータビットをエンコードする。パワー制御情報は、ＡＤＩＰデータビットによってエンコードされることができる。
【００３４】
図７はウォブル復調ユニットを示す。入力ユニット７１は、前記トラックを走査する前記ヘッドから得られたプッシュプル信号を供給する。フィルタ７２は、ウォブル周波数を分離しウォブル信号を生成するため、ハイパス及びローパスフィルタによって前記信号をフィルタリングする。位相ロックループ７３は前記ウォブル周波数にロックされ、チャネルビットの単位にマークを記録するため、３２倍器７５によって同期書き込みクロックを生成する。同期ウォブルユニット７４は、ウォブルクロック周期を乗算器７６に供給し、乗算器７６もまた前記ウォブル信号を受信する。乗算器７６の出力は、積分及びダンプユニット７７において積分される。積分及びダンプユニット７７の出力は、シンク閾値検出器７８へのサンプルスイッチを介してサンプリングされる。シンク閾値検出器７８は、ＡＤＩＰビットシンクを検出するＡＤＩＰビット同期装置に結合される。第２の乗算器８１は、２つの反転されたウォブルと２つの反転されていないウォブルとを持つ４ウォブル周期信号を供給され、また４個のウォブル周期に渡る同期検出のため第２の入力部において前記ウォブル信号を供給される。第２の積分及びダンプユニット８２は、乗算器８１の出力信号を積分し、ビット値閾値検出器８３がエンコードされたビットの値を検出する。パワー制御情報は、ＡＤＩＰデータビットから取得されることができる。
【００３５】
本発明は主に反射率の変化に基づく光ディスクを利用した実施例によって説明されたが、本発明は書き込み可能な記録担体に予め適用されたパターンを持つ正方形の光カード、光磁気ディスク又は他のいずれのタイプの情報記憶システムのような、他の記録担体にも適している。本明細書において、「有する（comprising）」なる語は列記されたもの以外の要素又はステップの存在を除外するものではないこと、要素に先行する「１つの（a又はan）」なる語は複数のかような要素の存在を除外するものではないこと、いずれの参照記号も請求の範囲を限定するものではないこと、本発明はハードウェア及びソフトウェアの両方によって実装され得ること、及び幾つかの「手段」又は「ユニット」が同一のハードウェア又はソフトウェアによって表されても良いことに留意されたい。更に、本発明の範囲は実施例に限定されるものではなく、本発明は上述したそれぞれの及び全ての新規な特徴又は特徴の組み合わせに存する。
【図面の簡単な説明】
【００３６】
【図１（ａ）】ディスク型の記録担体（上面図）を示す。
【図１（ｂ）】記録担体の断面図を示す。
【図１（ｃ）】トラックのウォブルの例を示す。
【図２】記録担体の異なる層について最適パワー制御を実行する記録装置を示す。
【図３】多層光ディスクを示す。
【図４】逆行トラックパス記録担体を模式的に示す。
【図５（ａ）】２層ＯＴＰディスクの層Ｌ１に対するＯＰＣのためのパワー制御ゾーンを示す。
【図５（ｂ）】２層ＰＴＰディスクの層Ｌ１に対するＯＰＣのためのパワー制御ゾーンを示す。
【図６】ウォブル変調におけるＡＤＩＰ情報を示す。
【図７】ウォブル復調ユニットを示す。
2006521651.tif 000003
【図２】
2006521651.tif 000004
【図３】
2006521651.tif 000005
【図４】
2006521651.tif 000006
2006521651.tif 000007
【図６】
2006521651.tif 000008
【図７】
2006521651.tif 000009
【国際調査報告】
2006521651.tif 000010
2006521651.tif 000011
2006521651.tif 000012
2006521651.tif 000013
2006521651.tif 000014